(57)【要約】【課題】無線通信装置の設置位置を推定する。【解決手段】所定位置に配置された無線通信装置に対して、周囲に位置する他の無線通信装置の情報の取得要求を行う取得要求手段と、前記取得要求手段による取得要求に応じた無線通信装置から、前記他の無線通信装置の情報を取得する情報取得手段と、前記情報取得手段により得られた他の無線通信装置の情報に基づき、前記取得要求に応じた無線通信装置の位置を推定する位置推定手段とを有することにより上記課題を解決する。【選択図】図４
2014059242.tif 000002
【特許請求の範囲】
【請求項１】
所定位置に配置された無線通信装置に対して、周囲に位置する他の無線通信装置の情報の取得要求を行う取得要求手段と、
前記取得要求手段による取得要求に応じた無線通信装置から、前記他の無線通信装置の情報を取得する情報取得手段と、
前記情報取得手段により得られた他の無線通信装置の情報に基づき、前記取得要求に応じた無線通信装置の位置を推定する位置推定手段とを有することを特徴とする配置管理装置。
【請求項２】
前記位置推定手段は、
予め設定される無線通信装置の配置情報と、前記他の無線通信装置の情報とを比較することにより、前記取得要求に応じた無線通信装置の位置が正しいか否か推定することを特徴とする請求項１に記載の配置管理装置。
【請求項３】
前記位置推定手段は、
前記配置情報のうち、前記取得要求に応じた無線通信装置を基準とした所定の範囲に、前記他の無線通信装置の情報が含まれる場合に、前記取得要求に応じた無線通信装置の位置が正しいと推定することを特徴とする請求項２に記載の配置管理装置。
【請求項４】
前記位置推定手段は、
前記配置情報の前記所定の範囲内に含まれる無線通信装置の情報と、前記他の無線通信装置の情報とを比較して、所定の閾値以上異なる場合に、前記取得要求に応じた無線通信装置の位置が正しくないと推定することを特徴とする請求項３に記載の配置管理装置。
【請求項５】
前記位置推定手段により得られる推定結果をユーザに通知する通知手段を有し、
前記位置推定手段は、
前記取得要求に応じた無線通信装置の位置が正しくないと推定した場合に、前記通知手段により通知することを特徴とする請求項１乃至４のいずれか一項に記載の配置管理装置。
【請求項６】
前記配置情報の前記所定の範囲、又は前記所定の閾値が変更可能であることを特徴とする請求項４又は５に記載の配置管理装置。
【請求項７】
前記他の無線通信装置の情報は、前記取得要求に応じた無線通信装置が保持する隣接テーブルの情報を用いることを特徴とする請求項１乃至６のいずれか一項に記載の配置管理装置。
【請求項８】
前記位置推定手段は、
前記取得要求に応じた無線通信装置の位置を推定することにより、前記取得要求に応じた無線通信装置が含まれる照明装置の位置を推定することを特徴とする請求項１乃至７のいずれか一項に記載の配置管理装置。
【請求項９】
複数の所定位置に配置された無線通信装置と、前記無線通信装置の配置を管理する配置管理装置とを有する配置管理システムであって、
前記配置管理装置は、
前記無線通信装置に対して、周囲に位置する他の無線通信装置の情報の取得要求を行う取得要求手段と、
前記取得要求手段による取得要求に応じた無線通信装置から、前記他の無線通信装置の情報を取得する情報取得手段と、
前記情報取得手段により得られた他の無線通信装置の情報に基づき、前記取得要求に応じた無線通信装置の位置を推定する位置推定手段とを有することを特徴とする配置管理システム。
【請求項１０】
コンピュータを、
請求項１乃至８のいずれか一項に記載の配置管理装置が有する各手段として機能させるための配置管理プログラム。
【発明の詳細な説明】
【技術分野】
【０００１】
本願は、配置管理装置、配置管理システム、及び配置管理プログラムに関する。
【背景技術】
【０００２】
従来では、例えば、所定位置に配置された無線通信装置から送信された情報を無線端末が受信し、受信した情報を無線端末から所定のサーバに送信することで、サーバ側で無線端末の位置を特定する手法が知られている（例えば、特許文献１参照）。また、従来では、上述した無線通信装置を、蛍光灯等に組み込んで用いる方法が知られている（例えば、特許文献２参照）。
【発明の概要】
【発明が解決しようとする課題】
【０００３】
しかしながら、従来手法に示すように無線通信装置を所定位置に配置する場合に、例えば人為的なミス等によりサーバ側で管理する位置とは異なる位置に無線通信装置を設置してしまう場合がある。このような場合、サーバは、実際の設置位置と異なる位置で無線通信装置の位置を管理することになってしまう。つまり、無線通信装置が蛍光灯等に組み込まれている場合には、蛍光灯等の位置が実際とは異なる位置で管理されることになってしまう。そこで、無線通信装置の設置後に、無線通信装置の位置がサーバで管理されている位置と合っているか否か確認することが求められる。
【０００４】
開示の技術は、上記の課題に鑑みてなされたものであり、無線通信装置の設置位置を推定することが可能な配置管理装置、配置管理システム、及び配置管理プログラムを提供することを目的とする。
【課題を解決するための手段】
【０００５】
上記目的を達成するために、開示の一態様によれば、所定位置に配置された無線通信装置に対して、周囲に位置する他の無線通信装置の情報の取得要求を行う取得要求手段と、前記取得要求手段による取得要求に応じた無線通信装置から、前記他の無線通信装置の情報を取得する情報取得手段と、前記情報取得手段により得られた他の無線通信装置の情報に基づき、前記取得要求に応じた無線通信装置の位置を推定する位置推定手段とを有することを特徴とする。
【発明の効果】
【０００６】
開示の技術によれば、無線通信装置の設置位置を推定することが可能となる。
【図面の簡単な説明】
【０００７】
【図１】位置情報管理システムの概略構成の一例を示す図である。
【図２】位置情報管理システムを構成するネットワークの一例を示す図である。
【図３】本実施形態に係る無線通信装置の機能ブロックの一例を示す図である。
【図４】本実施形態に係る管理サーバの機能ブロックの一例を示す図である。
【図５】本実施形態に係る無線通信装置のハードウェア構成の一例を示す図である。
【図６】本実施形態に係る管理サーバのハードウェア構成の一例を示す図である。
【図７】本実施形態に係る位置推定処理の流れを示すフローチャートである。
【図８】本実施形態に係る無線通信装置が保持する隣接テーブルの一例を示す図である。
【図９】本実施形態に係る管理サーバが保持する配置情報の一例を示す図である。
【図１０】無線通信装置の位置が正しく設置されている例を説明するための図である。
【図１１】無線通信装置の位置が正しく設置されていない例を説明するための図である。
【図１２】配置情報で用いる所定の範囲を変更する例について説明するための図である。
【図１３】無線通信装置の位置を推定する例について説明するための図である。
【図１４】管理サーバに表示される画面の一例を示す図である。
【発明を実施するための形態】
【０００８】
以下、開示の技術に係る実施の形態について詳細に説明する。なお、以下に説明する実施の形態では、例えば屋内の所定エリアにおける物体や人物の位置情報を、無線端末と無線通信装置との通信によって管理する位置情報管理システムに適用される無線通信装置の配置管理システムの一例について説明する。
【０００９】
＜位置情報管理システム：概略構成＞
図１は、位置情報管理システムの概略構成の一例を示す図である。図１に示すように、位置情報管理システム１は、無線通信装置１０−１〜１０−４と、無線端末１１−１〜１１−３と、ゲートウェイ装置１２と、管理サーバ１３とを有するように構成される。無線通信装置１０−１〜１０−４と、無線端末１１−１〜１１−３と、ゲートウェイ装置１２とは、無線ネットワーク１４を介して接続される。ゲートウェイ装置１２と、管理サーバ１３とは、ネットワーク１５を介して接続される。
【００１０】
なお、以下の説明において、無線通信装置１０−１〜１０−４は、適宜、無線通信装置１０と称し、無線端末１１−１〜１１−３は、適宜、無線端末１１と称して説明する。
【００１１】
無線通信装置１０は、例えば建物の各階の天井等に設置されたＬＥＤ（Ｌｉｇｈｔ  Ｅｍｉｔｔｉｎｇ  Ｄｉｏｄｅ）蛍光管のような照明装置に組み込まれ、照明装置から給電されて動作するが、これには限定されず、独立した筐体を有し、予め設置された電源から給電されて動作しても良い。
【００１２】
無線通信装置１０は、無線信号によりそれぞれの設置位置に係る自己の位置情報（例えば経度情報、緯度情報、建物の階数、棟番号等の情報）を連続的又は断続的に、所定の電波範囲（すなわち管理対象となる領域）に対して送信する。
【００１３】
ここで、上述した所定の電波範囲は、例えば無線通信装置１０からの送信出力、アンテナの指向性等によって決定されるが、図１の例では、無線通信装置１０の下方に示される円錐形の点線が各無線通信装置１０における所定の電波範囲を示している。各無線通信装置１０は、例えば、図１に示す所定の電波範囲が他の無線通信装置と重複せず、各無線通信装置１０の電波範囲に隙間が生じないように配置されると良いが、これに限定されるものではなく、目的とする所定の領域に電波範囲が含まれるように配置されていても良い。
【００１４】
なお、所定の電波範囲が重複する場合には、例えば、無線端末１１が受信電波強度に基づいて、いずれか１つの無線通信装置１０を決定するように構成される。
【００１５】
本実施形態では、無線通信装置１０は、例えばＩＭＥＳ（Ｉｎｄｏｏｒ  Ｍｅｓｓａｇｉｎｇ  Ｓｙｓｔｅｍ）、可視光通信、赤外線通信、無線ＬＡＮ（Ｌｏｃａｌ  Ａｒｅａ  Ｎｅｔｗｏｒｋ）等から選択される無線通信方式を用いて、無線端末１１に設置位置に係る自己の位置情報を送信ことができるが、これに限定されるものではない。
【００１６】
無線端末１１は、無線通信装置１０−１〜１０−４のうち最寄りの無線通信装置１０から位置情報を受信する。また、無線端末１１は、例えば自らの電波を送信可能なアクティブタグが付された端末であり、例えばスマートフォン、ＰＤＡ（Ｐｅｒｓｏｎａｌ  Ｄｉｇｉｔａｌ  Ａｓｓｉｓｔａｎｔ）、ＰＣ（Ｐｅｒｓｏｎａｌ  Ｃｏｍｐｕｔｅｒ）又はスマートメータ等、アクティブタグと同等の機能を有していれば良い。
【００１７】
図１の例では、無線端末１１は、管理対象となる収納箱や物体等に付されているが、これには限定されない。例えばＩＤカード（ＩＤｅｎｔｉｔｙ  ｃａｒｄ）や携帯電話等に無線端末１１を組み込むことで、無線端末１１を保持した人物を管理対象としても良い。
【００１８】
無線端末１１は、無線通信装置１０から、上述した無線通信装置１０の位置情報を受信すると、例えばＩＥＥＥ８０２．１５．４及びＺｉｇＢｅｅ（登録商標）のような近距離無線通信により、受信した位置情報や、自らの端末情報（端末ＩＤ）等を無線通信装置１０に送信する。なお、無線端末１１の端末情報としては、例えばＩＥＥＥ８０２．１５．４の短縮アドレスやＩＥＥＥ拡張（ＭＡＣ：Ｍｅｄｉａ  Ａｃｃｅｓｓ  Ｃｏｎｔｒｏｌ）アドレス等を用いても良い。
【００１９】
ここで、無線端末１１から無線通信装置１０に送信された情報は、無線通信装置１０がそれぞれ保持するルーティング情報に基づき、無線ネットワーク１４内でルーティングされ、所定の無線通信装置１０を経由してゲートウェイ装置１２に送信される。なお、無線端末１１は、無線通信装置１０よりも近傍にゲートウェイ装置１２が存在する場合には、ゲートウェイ装置１２に対して送信しても良い。上述した無線端末１１の送受信動作は、予め設定されたタイミングか、無線端末１１が加速度センサを有している場合には、加速度センサによる無線端末１１の加速度変化が検出されたタイミングに行うと良い。
【００２０】
ゲートウェイ装置１２は、例えば建物の各階、又は壁等で仕切られた各部屋に設置される。ゲートウェイ装置１２は、無線端末１１から送信された情報（上述した位置情報や端末情報等）を、無線通信装置１０を介して受信する。また、ゲートウェイ装置１２は、無線通信装置１０を介して無線端末１１から送信された情報を受信すると、ネットワーク１５を介して管理サーバ１３に送信する。
【００２１】
ゲートウェイ装置１２は、無線ネットワーク１４とネットワーク１５とを相互に接続し、無線ネットワーク１４側から送信された情報をネットワーク１５にブリッジする。また、ゲートウェイ装置１２は、無線ネットワーク１４が、例えばＩＥＥＥ８０２．１５．４やＺｉｇＢｅｅ規格によるＰＡＮ（Ｐｅｒｓｏｎａｌ  Ａｒｅａ  Ｎｅｔｗｏｒｋ）を構成し、ネットワーク１５がＩＥＥＥ８０２．３規格に基づくＬＡＮである場合、無線ネットワーク１４とネットワーク１５との間で通信方式の変換を行う。
【００２２】
なお、無線ネットワーク１４が、上述したＩＥＥＥ８０２．１５．４やＺｉｇＢｅｅ規格によるＰＡＮを構成する場合には、無線端末１１と、無線通信装置１０と、ゲートウェイ装置１２は、ＺｉｇＢｅｅ規格で定められるエンドデバイス機能、ルータ機能、コーディネータ機能を有するように制御される。
【００２３】
無線端末１１及び無線通信装置１０は、例えば起動時においてゲートウェイ装置１２の管理下に入り、ＰＡＮを構成することにより、ゲートウェイ装置１２への最小経路が決定され、上述したルーティング情報が作成される。
【００２４】
管理サーバ１３は、ゲートウェイ装置１２を介して無線端末１１から送信された情報を受信すると、受信した情報を受信日時とともに記録する。管理サーバ１３は、無線端末１１から送信された情報に基づき、無線端末１１の位置を管理する。なお、管理サーバ１３は、ゲートウェイ装置１２の機能を統合しても良い。
【００２５】
無線ネットワーク１４は、例えばＩＥＥＥ８０２．１５．４及びＺｉｇＢｅｅ規格によるＰＡＮを構成するが、例えば「Ｂｌｕｅｔｏｏｔｈ（登録商標）  ＬＥ」、「ＡＮＴ」、「Ｚ−Ｗａｖｅ」等の近距離無線通信を用いて構成しても良い。
【００２６】
ネットワーク１５は、例えばＩＥＥＥ８０２．３規格で定められるＬＡＮであるが、例えばインターネット等、複数の種類のネットワークを含んでも良い。
【００２７】
＜無線ネットワーク１４＞
図２は、位置情報管理システムを構成するネットワークの一例を示す図である。図２の例では、図１に示す位置情報管理システム１において、無線通信装置１０−１〜１０−４と、無線端末１１−１〜１１−３と、ゲートウェイ装置１２とが、無線ネットワーク１４を介して接続されている。図２の点線に示すように、無線端末１１−１〜１１−２から送信された情報は、無線通信装置１０−１により受信され、無線通信装置１０−１から他の無線通信装置１０−２〜１０−４を介してゲートウェイ装置１２に送信される。
【００２８】
ここで、図２に示す無線ネットワーク１４を用いて、本実施形態に係る無線通信装置１０の配置管理システムの一例について説明する。本実施形態に係る配置管理システムでは、無線ネットワーク１４を構成する無線通信装置１０−１〜１０−４の設置位置（すなわち配置位置）を、管理サーバ１３が配置管理装置として管理する。
【００２９】
管理サーバ１３は、無線通信装置１０−１〜１０−４の配置位置を示す配置情報を予め保持することにより、無線通信装置１０−１〜１０−４の配置位置を管理するが、実際の無線通信装置１０の設置の際に、例えば人為的ミス等により、例えば図２に示す無線通信装置１０−１と無線通信装置１０−４とを逆の位置に設置してしまう場合が考えられる。
【００３０】
そこで、本実施形態の配置管理システムでは、上述した位置情報管理システム１における無線通信装置１０を起動したタイミングやユーザからの指示等による任意のタイミング等により、管理サーバ１３が無線通信装置１０のそれぞれ（例えば図２に示す無線通信装置１０−１）に対して、周囲（隣接）に位置する他の無線通信装置１０（例えば図２に示す無線通信装置１０−２〜１０−３）の情報を取得するための取得要求を行う。
【００３１】
管理サーバ１３は、その取得要求に応じた無線通信装置１０（例えば図２に示す無線通信装置１０−１）から、他の無線通信装置１０（例えば図２に示す無線通信装置１０−２〜１０−３）の情報を取得することにより、その取得要求に応じた無線通信装置１０の位置を推定することが可能となる。なお、管理サーバ１３は、無線通信装置１０が、例えば照明装置等に組み込まれている場合には、無線通信装置１０が組み込まれている照明装置等の位置についても推定することが可能となる。
【００３２】
管理サーバ１３が保持する無線通信装置１０の配置情報の一例については後述する。また、無線通信装置１０から得られる周囲（隣接）に位置する他の無線通信装置１０の情報は、無線通信装置１０が保持する隣接テーブルの情報を用いるが、隣接テーブルの一例についても後述する。
【００３３】
上述した図１及び図２に示す無線通信装置１０及び無線端末１１の数や配置はこれに限定されるものではない。
【００３４】
＜無線通信装置１０：機能ブロック＞
図３は、本実施形態に係る無線通信装置の機能ブロックの一例を示す図である。図３に示すように、無線通信装置１０は、通信手段２０と、記憶手段２１と、制御手段２２とを有するように構成される。
【００３５】
通信手段２０は、位置情報送信手段２０Ａと、無線通信手段２０Ｂとを有するように構成される。位置情報送信手段２０Ａは、例えばＩＭＥＳ信号（地上補完信号）等により、所定の電波範囲にある無線端末１１に連続的又は断続的に、位置情報２１Ａを送信する。なお、位置情報送信手段２０Ａは、例えばＩＭＥＳに規定するフォーマットを用いて位置情報２１Ａを送信すると良い。
【００３６】
無線通信手段２１Ｂは、例えばＩＥＥＥ８０２．１５．４及びＺｉｇＢｅｅ等の近距離無線通信により、無線ネットワーク１４を介して無線端末１１から送信された情報（例えば無線端末１１が受信した位置情報、無線端末１１の端末情報等）を受信すると、受信した情報をゲートウェイ装置１２に送信する。
【００３７】
無線通信手段２１Ｂは、例えば無線ネットワーク１４がＺｉｇＢｅｅ規格で構成される場合、保持しているルーティング情報に基づきルーティングを行い、上述した無線端末１１から受信した情報をゲートウェイ装置１２に対して送信する。
【００３８】
また、無線通信手段２１Ｂは、例えば起動時、ゲートウェイ装置１２の管理下に入り、ＰＡＮを構成する際に、周囲にある他の無線通信装置１０等の有無を検知するため、自己の電波到達距離にある他の無線通信装置１０等に対し、データ送信の要求を行う。
【００３９】
また、無線通信装置２１Ｂは、管理サーバ１３から他の無線通信装置１０の情報の取得要求を受けると、記憶手段２１から隣接テーブル２１Ｂに含まれている他の無線通信装置１０に固有の識別情報（例えば、デバイスＩＤ等）を取得し、管理サーバ１３に送信する。なお、無線通信装置２１Ｂは、他の無線通信装置１０の情報として、例えば隣接テーブル２１Ｂをそのまま管理サーバ１３に送信しても良い。
【００４０】
記憶手段２１は、例えば位置情報２１Ａや、隣接テーブル２１Ｂ、ルーティング情報２１Ｃ等を記憶するが、これに限定されるものではない。位置情報２１Ａは、例えば、緯度、経度、棟、階数等の情報を含む。緯度及び経度は、無線通信装置１０が所在する位置の緯度及び経度を示す。棟番号は、無線通信装置１０が設置されている建物の棟番号を示す。階数は、無線通信装置１０が設置されている建物の階数を示す。
【００４１】
なお、位置情報２１Ａは、上述した内容に限定されるものではなく、例えば部屋の中の区画を表す情報等、より細かな位置を特定する情報を含んでも良く、例えば管理対象となる領域の部屋やドア番号等（エリア情報）を含んでも良い。
【００４２】
隣接テーブル２１Ｂは、無線通信装置１０の周囲に位置する他の無線通信装置１０等の情報を保持するテーブルである。隣接テーブル２１Ｂは、例えば無線通信装置１０の起動時に、無線通信手段２０Ｂにより自己の電波到達距離にある他の無線通信装置１０等に対し、データ送信の要求を行い、データ送信の要求に応じて他の無線通信装置１０等から得られた応答結果に基づいて作成される。
【００４３】
隣接テーブル２１Ｂには、例えば電波到達距離にある他の無線通信装置１０等に固有の識別情報（例えば、デバイスＩＤ等）やその詳細データ等が含まれるが、これに限定されるものではない。本実施形態では、管理サーバ１３が、位置を推定する無線通信装置１０に対して、周囲（隣接）に位置する他の無線通信装置１０の情報を要求すると、要求を受けた無線通信装置１０は、例えば隣接テーブル２１Ｂに含まれる他の無線通信装置１０等のデバイスＩＤ等を管理サーバ１３に送信する。なお、無線通信装置１０は、例えば隣接テーブル２１Ｂをそのまま管理サーバ１３に送信しても良い。
【００４４】
これにより、管理サーバ１３は、予め保持している無線通信装置１０の配置情報と、無線通信装置１０から得られた他の無線通信装置１０のデバイスＩＤ等を用いて、無線通信装置１０の位置を推定することが可能となる。なお、隣接テーブル２１Ｂの具体例については後述する。
【００４５】
ルーティング情報２１Ｃは、無線通信装置１０からゲートウェイ装置１２への最小経路等を示す情報であるが、これに限定されるものではない。ルーティング情報２１Ｃは、例えば起動時に無線通信装置１０がゲートウェイ装置１２の管理下に入り、上述したＰＡＮを構成することにより、ゲートウェイ装置１２への最小経路が決定され生成される。
【００４６】
制御手段２２は、無線通信装置１０の動作を制御する。なお、無線通信装置１０と、無線端末１１と、ゲートウェイ装置１２とがＺｉｇＢｅｅを用いてＰＡＮを構成する場合には、無線通信装置１０がルータ機能を提供するよう制御する。
【００４７】
上述した構成により、無線通信装置１０は、管理サーバ１３からの要求に応じて、周囲に存在する他の無線通信装置１０の情報を管理サーバ１３に送信することが可能となる。
【００４８】
＜管理サーバ１３：機能ブロック＞
図４は、本実施形態に係る管理サーバの機能ブロックの一例を示す図である。図４に示すように、管理サーバ１３は、通信手段３０と、取得要求手段３１と、情報取得手段３２と、位置推定手段３３と、通知手段３４と、入力手段３５と、表示手段３６と、記憶手段３７と、制御手段３８とを有するように構成される。
【００４９】
通信手段３０は、例えばゲートウェイ装置１２からネットワーク１５を介して無線端末１１により送信された情報（例えば無線端末１１の位置情報や無線端末１１の端末情報）等を受信する。また、通信手段３０は、例えば無線端末１１から受信した情報を受信日時とともに記憶手段３７に記憶する。なお、通信手段３０は、無線端末１１の位置情報等の提供を求められた場合には、無線端末１１の位置情報等を外部装置等に送信しても良い。
【００５０】
取得要求手段３１は、例えば位置情報管理システム１における無線通信装置１０を起動したタイミングで無線通信装置１０からＰＡＮへの参加申請があった等の所定の通知をゲートウェイ装置１２から受けたときや、任意のタイミングでユーザによる取得要求の指示を検知したとき等に、位置を推定する無線通信装置１０に対して、周囲に位置する他の無線通信装置１０の情報を取得するための取得要求を行う。
【００５１】
情報取得手段３２は、取得要求手段３１による取得要求に応じた無線通信装置１０から、他の無線通信装置１０の情報を取得する。上述したように、情報取得手段３２は、他の無線通信装置１０の情報として、例えば無線通信装置１０から隣接テーブル２１Ｂに含まれる他の無線通信装置１０等のデバイスＩＤ等を取得しても良く、隣接テーブル２１Ｂを取得しても良い。
【００５２】
位置推定手段３３は、情報取得手段３２により得られた他の無線通信装置１０の情報に基づき、取得要求に応じた無線通信装置１０の位置を推定する。位置推定手段３３は、例えば予め記憶手段３７に保持する配置情報（例えば、配置座標データ等）３７Ｂと、取得要求に応じた無線通信装置１０から得られた他の無線通信装置１０の情報とを比較することにより、取得要求に応じた無線通信装置１０の位置が正しいか否か推定する。
【００５３】
例えば、位置推定手段３３は、配置情報３７Ｂのうち、取得要求に応じた無線通信装置１０を基準とした所定の範囲に、他の無線通信装置１０の情報が含まれる場合に、取得要求に応じた無線通信装置１０の位置が正しいと推定する。
【００５４】
ここで、上述した所定の範囲とは、例えば位置を推定する対象の無線通信装置１０の位置を中心として、その対象の無線通信装置１０の電波到達距離と想定される範囲であり、例えばその対象の無線通信装置１０の周囲にある他の無線通信装置１０が所定数含まれると想定される範囲であっても良く、その対象の無線通信装置１０の位置を中心として半径数ｍ以内の範囲であっても良い。
【００５５】
位置推定手段３３は、予め配置情報３７Ｂを用いて、上述した所定の範囲を、位置を推定する無線通信装置１０ごとに設定し、例えば配置情報３７Ｂのうち所定の範囲に含まれると想定される他の無線通信装置１０を設定しておくと良い。位置推定手段３３は、このように設定した他の無線通信装置１０の情報と、位置を推定する無線通信装置１０から得られた他の無線通信装置１０の情報とを比較し、例えば所定の閾値以上異なる場合に、無線通信装置１０の位置が正しくないと推定すると良い。
【００５６】
なお、所定の閾値とは、例えば位置を推定する無線通信装置ごとに設定された所定の範囲に含まれると想定された他の無線通信装置１０の情報と一致しない数に対する閾値であるが、これに限定されるものではない。
【００５７】
位置推定手段３３は、例えば無線通信装置１０の位置が正しくないと推定した場合、通知手段３４によりその推定結果をユーザに通知すると良い。
【００５８】
また、位置推定手段３３は、例えば無線通信装置１０が照明装置等に組み込まれている場合、無線通信装置１０の位置を推定することにより、無線通信装置１０が組み込まれた照明装置等の位置を推定しても良く、無線通信装置１０が他の機器に組み込まれている場合には、他の機器の位置について推定しても良い。
【００５９】
また、位置推定手段３３は、情報取得手段３２により隣接テーブル２１Ｂそのものを取得した場合、隣接テーブル２１Ｂから他の無線通信装置１０の情報（例えばデバイスＩＤ等）を抽出して用いると良い。
【００６０】
なお、上述した配置情報３７Ｂの所定の範囲、又は所定の閾値は変更可能である。
【００６１】
通知手段３４は、位置推定手段３３により得られる推定結果をユーザに通知する。通知手段３４は、例えば表示手段３６に表示する画面を生成することで、ユーザに推定結果を通知しても良い。
【００６２】
入力手段３５は、無線端末１１の位置を探索したり、無線通信装置１０の配置位置を設定したり、位置を推定する無線通信装置１０に対して他の無線通信装置１０の情報を取得するための取得要求を指示したりするためのユーザの入力を受け付ける。
【００６３】
表示手段３６は、例えばＧＵＩ（Ｇｒａｐｈｉｃａｌ  Ｕｓｅｒ  Ｉｎｔｅｒｆａｃｅ）等により構成される。表示手段３６は、例えば無線端末１１等を検索するための検索画面を表示したり、無線通信装置１０の配置位置の設定画面や他の無線通信装置１０の情報取得結果を示す画面を表示したりする。また、表示手段３６は、通知手段３４により生成された無線通信装置１０の配置位置に関する推定結果を示す画面を表示しても良い。
【００６４】
記憶手段３７は、例えば位置管理情報３７Ａや配置情報３７Ｂを記憶するが、これに限定されるものではない。位置管理情報３７Ａは、例えば無線端末１１から受信した位置情報や無線端末情報、受信時刻等の情報を含む。配置情報３７Ｂは、予め、無線通信装置１０の配置を管理するために入力された配置座標データ等を含む。なお、配置情報３７Ｂの一例については後述する。
【００６５】
制御手段３８は、管理サーバ１３の各構成を制御する。
【００６６】
＜無線通信装置１０：ハードウェア構成＞
図５は、本実施形態に係る無線通信装置のハードウェア構成の一例を示す図である。図５に示すように、無線通信装置１０は、ＣＰＵ（Ｃｅｎｔｒａｌ  Ｐｒｏｃｅｓｓｉｎｇ  Ｕｎｉｔ）４０と、ＲＡＭ（Ｒａｎｄｏｍ  Ａｃｃｅｓｓ  Ｍｅｍｏｒｙ）４１と、ＲＯＭ（Ｒｅａｄ  Ｏｎｌｙ  Ｍｅｍｏｒｙ）４２と、位置信号送信部４３と、無線通信部４４とを有するように構成される。なお、各部は、バス４５を介して接続される。
【００６７】
ＣＰＵ４０は、無線通信装置１０の動作制御を行うプログラムを実行する。ＲＡＭ４１は、ＣＰＵ４０のワークエリア等を構成する。ＲＯＭ４２は、ＣＰＵ４０が実行するプログラムに加えて、例えば位置情報２１Ａ、隣接テーブル２１Ｂ、ルーティング情報２１Ｃ等を記憶する。
【００６８】
位置信号送信部４３は、例えばＩＭＥＳ等の測位信号を送出するアンテナを有し、ＩＭＥＳ信号により位置情報２１Ａを無線端末１１に送信する。
【００６９】
無線通信部４４は、例えばＩＥＥＥ８０２．１５．４規格に適合する電波を送受信可能なアンテナを有し、保持しているルーティング情報２１Ｃに基づき、無線端末１１から受信した情報（例えば無線端末１１の位置情報や端末情報等）を他の無線通信装置１０等に送信する。また、無線通信部４４は、管理サーバ１３からの取得要求に応じて、隣接テーブル２１Ｂに含まれる他の無線通信装置１０の情報等を管理サーバ１３に送信する。
【００７０】
バス４５は、各部を電気的に接続し、各部間でのデータの送受信等を行う。
【００７１】
＜管理サーバ１３：ハードウェア構成＞
図６は、本実施形態に係る管理サーバのハードウェア構成の一例を示す図である。管理サーバ１３は、ＣＰＵ５０と、ＲＡＭ５１と、ＲＯＭ５２と、ＨＤＤ（Ｈａｒｄ  Ｄｉｓｋ  Ｄｒｉｖｅ）５３と、通信部５４と、表示部５５と、入力部５６とを有するように構成される。なお、これらの装置は、バス５７を介して接続される。
【００７２】
ＣＰＵ５０は、管理サーバ１３の動作制御を行うプログラムを実行する。ＲＡＭ５１は、ＣＰＵ５０のワークエリア等を構成する。ＲＯＭ５２は、例えばＣＰＵ５０が実行するプログラムやプログラムが使用するデータや、位置管理情報３７Ａや配置情報３７Ｂ等を記憶する。
【００７３】
ＨＤＤ５３は、位置情報管理システム１や、配置管理システムで用いられる情報、無線端末１１の位置や、無線通信装置１０の位置を管理したりするための情報を記憶する。なお、ＨＤＤ５３は、テープドライブを含むあらゆる記憶装置であっても良く、ネットワークを介してアクセス可能なストレージ領域であっても良い。
【００７４】
通信部５４は、例えばＩＥＥＥ８０２．３規格等に適合するネットワークインターフェースを有する。
【００７５】
表示部５５は、例えば液晶ディスプレイやＣＲＴ（Ｃａｔｈｏｄｅ  Ｒａｙ  Ｔｕｂｅ）ディスプレイ等を含む。
【００７６】
入力部５６は、ユーザからの入力を受け付けるキーボード、マウス等のポインティングデバイスである。バス５７は、これらの装置を電気的に接続し、各部間でのデータの送受信等を行う。
【００７７】
なお、図４に示す取得要求手段３１や、情報取得手段３２、位置推定手段３３、通知手段３４等の各処理はＣＰＵ５０により実行される。
【００７８】
＜位置推定処理＞
図７は、本実施形態に係る位置推定処理の流れを示すフローチャートである。図７に示すように、管理サーバ１３は、取得要求手段３１により、位置を推定する無線通信装置１０に対して、周囲に位置する他の無線通信装置１０の情報を取得するための要求を行う（Ｓ１０）。ここで、取得要求手段３１は、例えば無線通信装置１０を起動したタイミングで、管理している全ての無線通信装置１０に対して取得要求を行っても良く、任意のタイミングでユーザによる取得要求の指示を検知して、所定の無線通信装置１０に対してのみ取得要求を行っても良い。なお、ユーザによる取得要求の指示は、後述する管理サーバ１３の画面上で行うことが可能である。
【００７９】
管理サーバ１３は、情報取得手段３２により、上述した取得要求に応じた無線通信装置１０から、例えば他の無線通信装置１０の情報として隣接テーブル２１Ｂに含まれる他の無線通信装置１０のデバイスＩＤを取得する（Ｓ１１）。
【００８０】
次に、管理サーバ１３は、位置推定手段３３により、記憶手段３７に記憶された配置情報３７Ｂを参照して、取得要求に応じた無線通信装置１０を基準とした所定の範囲内に、情報取得手段３２により取得したデバイスＩＤが含まれているか否か判断する（Ｓ１２）。
【００８１】
位置推定手段３３は、上述した所定の範囲内にデバイスＩＤが含まれていないと判断した場合（Ｓ１２において、ＮＯ）、取得要求に応じた無線通信装置１０の設置位置が正しくないと推定し（Ｓ１３）、通知手段３４により、設置位置が正しくない旨を画面に表示して、ユーザに通知し（Ｓ１４）、処理を終了する。
【００８２】
一方、位置推定手段３３は、上述した所定の範囲内にデバイスＩＤが含まれていると判断した場合（Ｓ１２において、ＹＥＳ）、取得要求に応じた無線通信装置１０の設置位置が正しいと推定し（Ｓ１５）、処理を終了する。ここで、通知手段３４は、設置位置が正しい旨をユーザに通知しても良い。
【００８３】
なお、上述したＳ１２の処理では、位置推定手段３３は、例えば配置情報３７Ｂ上で予め所定の範囲に含まれると想定されたデバイスＩＤと、情報取得手段３２により取得したデバイスＩＤとが一致する場合や、想定された複数のデバイスＩＤの中に、取得したデバイスＩＤが含まれる場合は、所定の範囲内にデバイスＩＤが含まれると判断する。
【００８４】
また、上述したＳ１２の処理で、所定の範囲内にデバイスＩＤが含まれていないと判断した場合（Ｓ１２において、ＮＯ）、例えば含まれないデバイスＩＤの数と予め設定された所定の閾値とを比較し、含まれないデバイスＩＤの数が所定の閾値未満であれば、所定の範囲内にデバイスＩＤが含まれると判断しても良い。
【００８５】
また、無線通信装置１０が照明装置等に組み込まれている場合には、Ｓ１２の判断に基づき、Ｓ１３の処理で、取得要求に応じた無線通信装置１０が組み込まれている照明装置の設置位置が正しくないと推定しても良く、Ｓ１５の処理で、取得要求に応じた無線通信装置１０が組み込まれている照明装置の設置位置が正しいと推定しても良い。
【００８６】
＜隣接テーブル２１Ｂの例＞
図８は、本実施形態に係る無線通信装置が保持する隣接テーブルの一例を示す図である。なお、図８（Ａ）は、隣接テーブル２１Ｂの一例を示し、図８（Ｂ）は、隣接テーブル２１Ｂに含まれるデバイス詳細データの一例を示す。
【００８７】
上述したように、隣接テーブル２１Ｂは、例えば起動時において無線通信装置１０が周囲に存在する装置の有無を知るため、自己の電波到達距離（範囲）に含まれる装置に対し、データ送信の要求を行い、データ送信の要求に応じて他の装置から得られた応答結果に基づき作成される。
【００８８】
図８（Ａ）に示す隣接テーブル２１Ｂの例では、無線通信装置１０からのデータ送信の要求に対して応答があった他の装置のデバイスＩＤ（例えばデバイスＡ、Ｃ、Ｆ）とそのデバイス詳細データとが含まれているが、これに限定されるものではない。
【００８９】
また、図８（Ｂ）に示すデバイス詳細データの例では、例えばＩＥＥＥ拡張アドレスや、ネットワークアドレス、デバイスタイプ（ＺＣ、ＺＲ、ＺＥＤ）、待機状態における受信可／不可のフラグ、隣接ノードとの関係（親、子、兄弟）等の情報が含まれているが、これに限定されるものではない。
【００９０】
本実施形態では、例えば無線ネットワーク１４を構成する無線通信装置１０が、図８に示すような隣接テーブル２１Ｂをそれぞれ作成する。管理サーバ１３は、位置を推定する無線通信装置１０に対して、周囲に位置する他の無線通信装置１０の情報として、図８（Ａ）に示す隣接テーブル２１Ｂに含まれるデバイスＩＤの情報を要求すると良い。
【００９１】
なお、管理サーバ１３は、無線通信装置１０の設置位置を推定するため、配置情報３７Ｂを用いるが、配置情報３７Ｂは、無線通信装置１０のデバイスＩＤ等により構成されている。すなわち、管理サーバ１３は、無線通信装置１０の設置位置の推定には、他の無線通信装置１０のデバイスＩＤがあれば良く、無線端末１１やゲートウェイ装置１２のデバイスＩＤを用いる必要がない。
【００９２】
そこで、管理サーバ１３は、例えば隣接テーブル２１Ｂに含まれているデバイスＩＤのうち、他の無線通信装置１０のデバイスＩＤのみ取得するため、無線通信装置１０に対して、図８（Ｂ）に示すデバイス詳細データを参照し、無線通信装置１０のデバイスタイプに相当するＺＲ（ＺｉｇＢｅｅ  Ｒｏｕｔｅｒ）や、無線通信装置１０との関係を示す隣接ノードとの関係が兄弟（他の無線通信装置１０に相当する）に該当するデバイスＩＤのみ要求しても良い。
【００９３】
なお、管理サーバ１３が、無線通信装置１０から隣接テーブル２１Ｂを取得した場合には、上述のようにデバイス詳細データを参照し、隣接テーブル２１Ｂから他の無線通信装置１０のデバイスＩＤのみ取得して用いると良い。
【００９４】
＜配置情報３７Ｂの例＞
図９は、本実施形態に係る管理サーバが保持する配置情報の一例を示す図である。図９（Ａ）は、管理サーバ１３が保持する配置情報３７Ｂの一例を示し、図９（Ｂ）は、実際に無線通信装置１０が配置されている位置を示している。
【００９５】
図９（Ａ）に示す配置情報３７Ｂの例では、無線通信装置１０のデバイスＩＤ（デバイスＡ〜Ｏ）により各無線通信装置１０がどの位置に配置されているかを示す配置座標データが示されている。
【００９６】
なお、図９（Ａ）の例では、各無線通信装置１０の配置関係が正方形のブロックでユーザに視認しやすく示されているが、ブロックの形状等についてはこれに限定されるものではない。例えば、配置情報３７Ｂが、無線通信装置１０のデバイスＩＤと配置座標データとが対応付けられたテーブルであっても良い。
【００９７】
また、図９（Ｂ）には、図９（Ａ）に示す配置情報３７Ｂに基づいて、実際に配置されている無線通信装置１０の位置が示されている。
【００９８】
管理サーバ１３は、予め図９（Ａ）に示す配置情報３７Ｂを記憶手段３７に記憶し、配置情報３７Ｂと、位置を推定する無線通信装置１０の周囲に位置する他の無線通信装置１０のデバイスＩＤとに基づき、無線通信装置１０の位置を推定する。
【００９９】
なお、無線通信装置１０が照明装置等に組み込まれている場合には、無線通信装置１０のデバイスＩＤと照明装置のＩＤとが対応付けられた配置情報３７Ｂを用いることにより、各無線通信装置１０が組み込まれた照明装置等の位置を推定しても良い。
【０１００】
＜無線通信装置の位置が正しく設置されている例＞
図１０は、無線通信装置の位置が正しく設置されている例を説明するための図である。図１０（Ａ）は、配置情報３７Ｂのうち、デバイスＥの無線通信装置１０の周囲に配置されている他の無線通信装置１０のデバイスＩＤを示し、図１０（Ｂ）は、デバイスＥの無線通信装置１０が実際に配置されている位置を示している。
【０１０１】
なお、図１０（Ａ）に示す配置情報３７Ｂの斜線部分には、予めデバイスＥの無線通信装置１０を基準とした所定の範囲に含まれると想定された他の無線通信装置１０のデバイスＩＤ（例えばデバイスＡ、Ｂ、Ｃ、Ｄ、Ｆ、Ｇ、Ｈ、Ｉ）が示されている。
【０１０２】
実際に配置されているデバイスＥの無線通信装置１０の周囲には、図１０（Ｂ）に示すように、デバイスＩＤ（デバイスＡ、Ｂ、Ｃ、Ｄ、Ｆ、Ｇ、Ｈ、Ｉ）の他の無線通信装置１０が配置されているため、例えばデバイスＥの無線通信装置１０の隣接テーブル２１ＢにはこのデバイスＩＤが含まれると考えられる。
【０１０３】
ここで、管理サーバ１３が、デバイスＥの無線通信装置１０から他の無線通信装置１０のデバイスＩＤとして、デバイスＩＤ（デバイスＡ、Ｂ、Ｃ、Ｄ、Ｆ、Ｇ、Ｈ、Ｉ）を取得した場合には、上述した所定の範囲に含まれると想定しているデバイスＩＤ（デバイスＡ、Ｂ、Ｃ、Ｄ、Ｆ、Ｇ、Ｈ、Ｉ）に一致する。そこで、管理サーバ１３は、デバイスＥの無線通信装置１０は正しい位置に設置されていると推定することが可能となる。
【０１０４】
＜無線通信装置の位置が正しく設置されていない例＞
図１１は、無線通信装置の位置が正しく設置されていない例を説明するための図である。図１１（Ａ）は、デバイスＫの無線通信装置１０とデバイスＥの無線通信装置１０との設置位置が正しく設置されていない例を示し、図１１（Ｂ）は、デバイスＨの無線通信装置１０とデバイスＥの無線通信装置１０とが正しく設置されていない例を示している。
【０１０５】
上述したように、管理サーバ１３は、例えば図１０（Ａ）に示すような配置情報３７Ｂを参照して、デバイスＥの無線通信装置１０を基準とした所定の範囲には、他の無線通信装置１０のデバイスＩＤ（デバイスＡ、Ｂ、Ｃ、Ｄ、Ｆ、Ｇ、Ｈ、Ｉ）が含まれると想定している。
【０１０６】
しかしながら、実際に配置されているデバイスＥの無線通信装置１０の周囲には、図１１（Ａ）に示すように、デバイスＩＤ（デバイスＧ、Ｈ、Ｉ、Ｊ、Ｌ、Ｍ、Ｎ、Ｏ）の他の無線通信装置１０が配置されているため、例えばデバイスＥの無線通信装置１０の隣接テーブル２１ＢにはこのデバイスＩＤが含まれると考えられる。
【０１０７】
ここで、管理サーバ１３が、デバイスＥの無線通信装置１０から他の無線通信装置１０のデバイスＩＤとして、デバイスＩＤ（デバイスＧ、Ｈ、Ｉ、Ｊ、Ｌ、Ｍ、Ｎ、Ｏ）を取得した場合には、上述した所定の範囲に含まれると想定しているデバイスＩＤ（デバイスＡ、Ｂ、Ｃ、Ｄ、Ｆ、Ｇ、Ｈ、Ｉ）のうち、デバイスＩＤ（デバイスＪ、Ｌ、Ｍ、Ｎ、Ｏ）が含まれない。
【０１０８】
そこで、管理サーバ１３は、予め所定の閾値として例えば「２以上」と設定していた場合、異なるデバイスＩＤは「４つ」となるため、所定の閾値以上異なると判断し、デバイスＥの無線通信装置１０は正しい位置に設置されていないと推定することが可能となる。
【０１０９】
同様に、図１１（Ｂ）の例では、実際に配置されているデバイスＥの無線通信装置１０の周囲の位置には、デバイスＩＤ（デバイスＤ、Ｈ、Ｆ、Ｇ、Ｉ、Ｊ、Ｋ、Ｌ）の無線通信装置１０が配置されているため、例えばデバイスＥの無線通信装置１０の隣接テーブル２１ＢにはこのデバイスＩＤが含まれると考えられる。
【０１１０】
ここで、管理サーバ１３が、デバイスＥの無線通信装置１０から他の無線通信装置１０のデバイスＩＤとして、デバイスＩＤ（デバイスＤ、Ｈ、Ｆ、Ｇ、Ｉ、Ｊ、Ｋ、Ｌ）を取得した場合には、上述した所定の範囲に含まれると想定しているデバイスＩＤ（デバイスＡ、Ｂ、Ｃ、Ｄ、Ｆ、Ｇ、Ｈ、Ｉ）のうち、デバイスＩＤ（デバイスＪ、Ｋ、Ｌ）が含まれない。
【０１１１】
そこで、管理サーバ１３は、予め所定の閾値として例えば「２以上」と設定していた場合、異なるデバイスＩＤは「３つ」となるため、所定の閾値以上異なると判断し、デバイスＥの無線通信装置１０が正しい位置に設置されていないと推定することが可能となる。
【０１１２】
なお、上述した所定の閾値は、無線通信装置１０が配置されていると推定する位置等に応じて変更しても良い。
【０１１３】
＜所定の範囲を変更する場合＞
図１２は、配置情報で用いる所定の範囲を変更する例について説明するための図である。図１２（Ａ）は、例えばデバイスＫの無線通信装置１０を基準とした所定の範囲が、例えば前後左右１つずつ他の無線通信装置１０が含まれるように設定されている例を示し、図１２（Ｂ）は、例えば前後左右２つずつ他の無線通信装置１０が含まれるように設定されている例を示す。
【０１１４】
管理サーバ１３は、無線通信装置１０から取得した他の無線通信装置１０のデバイスＩＤと、配置情報３７Ｂに含まれている無線通信装置１０のデバイスＩＤとを比較する際、例えば、図１２（Ａ）に示す所定の範囲から、図１２（Ｂ）に示す所定の範囲に変更することが可能である。
【０１１５】
これにより、無線通信装置１０が保持する隣接テーブル２１Ｂに、例えば電波状況に応じて想定よりも広い範囲に存在する他の無線通信装置１０のデバイスＩＤが含まれてしまう場合でも、変更した所定の範囲を用いて、上述した無線通信装置１０の位置を推定することが可能となる。
【０１１６】
＜無線通信装置１０の位置を推定する場合＞
図１３は、無線通信装置の位置を推定する例について説明するための図である。図１３（Ａ）は、デバイスＱの無線通信装置１０が実際に配置されている位置を示し、図１３（Ｂ）は、デバイスＱの無線通信装置１０から得られた他の無線通信装置１０のデバイスＩＤが通知される例を示している。
【０１１７】
管理サーバ１３は、例えば配置情報３７Ｂを参照して、例えばデバイスＱの無線通信装置１０からは、他の無線通信装置１０のデバイスＩＤ（デバイスＭ、Ｎ、Ｏ、Ｐ、Ｒ、Ｓ、Ｔ、Ｕ）が得られると想定している。
【０１１８】
しかしながら、図１３（Ａ）の例では、デバイスＱの無線通信装置１０からは、例えば他の無線通信装置１０のデバイスＩＤ（Ａ、Ｂ、Ｃ、Ｄ、Ｆ、Ｇ、Ｈ、Ｉ）が得られる。このように、想定しているデバイスＩＤと異なるデバイスＩＤを取得した場合には、図１３（Ｂ）に示すように、管理サーバ１３は、保持している配置情報３７Ｂに基づき、デバイスＱの無線通信装置１０から得られたデバイスＩＤを示す画面を生成し、表示しても良い。これにより、ユーザにデバイスＱの無線通信装置１０の位置が、例えば配置情報３７Ｂ上のデバイスＥの位置に設置されていると通知することが可能となる。
【０１１９】
＜管理サーバ１３に表示される画面例＞
図１４は、管理サーバに表示される画面の一例を示す図である。なお、図１４（Ａ）は、無線通信装置１０の配置位置を設定するための設定画面を示し、図１４（Ｂ）は、デバイスＩＤ取得結果画面を示す図である。
【０１２０】
図１４（Ａ）に示す設定画面では、無線通信装置１０の配置位置を入力するためのブロック６０から構成される入力領域が示され、ユーザにより各ブロック６０に無線通信装置１０のデバイスＩＤが入力されることで、上述した配置情報３７Ｂが作成される。なお、デバイスＩＤが未入力の箇所は、無線通信装置１０が配置されていないと判断される。また、図１４（Ａ）に示す設定画面には、垂直スクロールバー６１と、水平スクロールバー６２とが示され、垂直スクロールバー６１と水平スクロールバー６２とを用いることで、入力領域を広げることが可能となる。
【０１２１】
図１４（Ａ）に示す設定画面上で、デバイスＩＤが入力されたブロック６３はブロックごとに選択可能となり、ブロック６３が選択されると、選択されたブロック６３に入力されているデバイスＩＤの無線通信装置１０に対して、他の無線通信装置１０の情報を取得するための取得要求が実行される。
【０１２２】
図１４（Ｂ）に示すデバイスＩＤ取得結果画面では、図１４（Ａ）の設定画面で選択されたデバイスＩＤ（例えばデバイスＥ）の無線通信装置１０が反転して表示され、そのデバイスＥの無線通信装置１０から得られた他の無線通信装置１０のデバイスＩＤ（例えばデバイスＡ〜Ｄ、Ｆ〜Ｉ）の位置が示されている。
【０１２３】
このように、図１４（Ｂ）に示す画面により、ユーザに、どの無線通信装置１０から他の無線通信装置１０のどのデバイスＩＤの情報が得られたかを通知することが可能となる。なお、管理サーバ１３に表示される画面例としては、図１４の例に限定されるものではなく、例えば上述した図９〜図１３に示すような画面が表示されても良い。
【０１２４】
上述したように、本実施形態によれば、無線通信装置の設置位置を推定することが可能となる。また、無線通信装置が照明装置等の機器に組み込まれている場合には、無線通信装置の位置を推定することにより、照明装置等の機器の位置を推定することが可能となる。
【０１２５】
以上、開示の技術の好ましい実施形態について詳述したが、開示の技術は係る特定の実施形態に限定されるものではなく、特許請求の範囲に記載された開示の技術の要旨の範囲内において、種々の変形、変更が可能である。
【符号の説明】
【０１２６】
１  位置情報管理システム
１０  無線通信装置
１１  無線端末
１２  ゲートウェイ装置
１３  管理サーバ（配置管理装置の一例）
１４  無線ネットワーク
１５  ネットワーク
２０，３０  通信手段
２０Ａ  位置情報送信手段
２０Ｂ  無線通信手段
２１，３７  記憶手段
２１Ａ  位置情報
２１Ｂ  隣接テーブル
２１Ｃ  ルーティング情報
２２，３８  制御手段
３１  取得要求手段
３２  情報取得手段
３３  位置推定手段
３４  通知手段
３５  入力手段
３６  表示手段
３７Ａ  位置管理情報
３７Ｂ  配置情報
４０，５０  ＣＰＵ
４１，５１  ＲＡＭ
４２，５２  ＲＯＭ
４３  位置信号送信部
４４  無線通信部
５４  通信部
５５  表示部
５６  入力部
【先行技術文献】
【特許文献】
【０１２７】
【特許文献１】国際公開第２００５／０８６３７５号パンフレット
【特許文献２】特開２０１０−０８０１３９号公報
【図１】
2014059242.tif 000003
【図２】
2014059242.tif 000004
【図３】
2014059242.tif 000005
【図４】
2014059242.tif 000006
【図５】
2014059242.tif 000007
【図６】
2014059242.tif 000008
【図７】
2014059242.tif 000009
【図８】
2014059242.tif 000010
【図９】
2014059242.tif 000011
【図１０】
2014059242.tif 000012
【図１１】
2014059242.tif 000013
【図１２】
2014059242.tif 000014
【図１３】
2014059242.tif 000015
【図１４】
2014059242.tif 000016